(57)【要約】【課題】アジャスター装置を、パイプ状をなす脚体の下端に工具などを用いることなく容易かつ適切に取り付けできるようにする。【解決手段】アジャスター本体１の雄ねじ部１０に螺合する雌ねじ部２０を有しアジャスター本体１を筒下端２１より螺進退可能に受け入れる内筒体２と、筒上端３０側からパイプ状をなす脚体Ｌの下端開口Ｌａよりこの脚体Ｌ内に筒下端３１に形成されたフランジ３２をこの下端開口Ｌａに突き当てる位置まで入れ込み可能に構成されると共に、筒下端３１から内筒体２を入れ込み可能に構成された外筒体３とを有している。外筒体３における隣り合う割溝３５間にある分割箇所３６が、内筒体２の外筒体３への入れ込み後の内筒体２の捻回操作によって弾性的に外方に撓み出すようになっている。【選択図】図１
2005218488.tif 000002
【特許請求の範囲】
【請求項１】
雄ねじ部を備えると共に下端に接地部を備えた軸状をなすアジャスター本体と、
筒内部にアジャスター本体の雄ねじ部に螺合する雌ねじ部を有し、このアジャスター本体を筒下端より螺進退可能に受け入れる内筒体と、
筒上端側からパイプ状をなす脚体の下端開口よりこの脚体内に筒下端に形成されたフランジをこの下端開口に突き当てる位置まで入れ込み可能に構成されると共に、筒下端から内筒体を入れ込み可能に構成された外筒体とを有しており、
この外筒体は、その筒上端において外方に解放されてその筒下端側に向けて延びる二条以上の割溝を有しており、
この外筒体における隣り合う割溝間にある分割箇所が、内筒体の外筒体への入れ込み後の内筒体の捻回操作によって弾性的に外方に撓み出すように構成されていることを特徴とするアジャスター装置。
【請求項２】
内筒体が太径箇所と細径箇所とを有していると共に、
外筒体の内郭形状が内筒体の外郭形状に倣った形状を持つように、内筒体の太径箇所を受け入れる広径箇所と内筒体の細径箇所に入り込む狭径箇所とを有しており、
捻回操作によって外筒体の広径箇所に納まっていた内筒体の太径箇所がこの外筒体の狭径箇所に外筒体の分割箇所を弾性変形させながら入り込むように構成されていることを特徴とする請求項１記載のアジャスター装置。
【請求項３】
内筒体の外側部に、外筒体への内筒体の入れ込みに伴って外筒体の割溝内に入り込む突起が形成してあると共に、
外筒体の分割箇所に、内筒体の捻回操作によって凹部入り口を弾性的に広げながら前記突起を受け入れこの突起を受け入れ切った位置でこの突起に掛合される掛合部を凹部入り口に備えた前記割溝に連通した凹部が形成してあることを特徴とする請求項１又は請求項２記載のアジャスター装置。
【請求項４】
内筒体に突起が二カ所以上形成してあると共に、これらの突起に対応する凹部が外筒体に形成してあることを特徴とする請求項３記載のアジャスター装置。
【発明の詳細な説明】
【技術分野】
【０００１】
この発明は、各種物品を構成するパイプ状をなす脚体の下端開口よりこの脚体内に一部を入れ込まれて取り付けられ、この取り付け状態においてアジャスター本体を螺進又は螺退操作することにより、脚体によって支持される各種物品の上面や天面などのレベルを調整するために用いられるアジャスター装置の改良に関する。
【背景技術】
【０００２】
各種物品を構成するパイプ状をなす脚体Ｌの下端開口Ｌａよりこの脚体内に入れ込まれる筒状体１００と、この筒状体１００内に形成された雌ねじ穴１０１に螺進退可能にネジ付け組み合わされたアジャスター本体２００とからなり、脚体Ｌへの取り付け状態においてアジャスター本体２００を螺進又は螺退操作することにより、脚体Ｌによって支持される各種物品の上面や天面などのレベルを調整するようにしたアジャスター装置として図１５に示される構造を持ったものがあった。かかるアジャスター装置は、それを構成する前記筒状体１００の外面部に弾性掛合爪１０２を多段状をなすように備えており、この弾性掛合爪１０２を変形させながら脚体Ｌにこの筒状体１００を圧入させることにより脚体Ｌの下端に取り付けるようになっている。このため、かかる従来のアジャスター装置は脚体Ｌへの取り付けに相応の押し込み力を必要とするものであり、この取り付けに工具などの使用を必要とするものであった。また、脚体Ｌに一旦アジャスター装置を取り付けさせた後は、その取り外しが必要となってもそれは容易になし難く、また、そうした取り外しをなせた場合にも前記弾性掛合爪１０２が破損などして再び脚体Ｌに取り付けさせて用いることができなくなり易いものであった。
【発明の開示】
【発明が解決しようとする課題】
【０００３】
この発明が解決しようとする主たる問題点は、この種のアジャスター装置を、パイプ状をなす脚体の下端に工具などを用いることなく容易かつ適切に取り付けできるようにすると共に、その取り外しも容易になし得るようにする点にある。
【課題を解決するための手段】
【０００４】
前記問題点を解決するために、この発明にあってはアジャスター装置が以下の（１）〜（５）の構成を備えたものとした。
（１）雄ねじ部を備えると共に下端に接地部を備えた軸状をなすアジャスター本体と、
（２）筒内部にアジャスター本体の雄ねじ部に螺合する雌ねじ部を有し、このアジャスター本体を筒下端より螺進退可能に受け入れる内筒体と、
（３）筒上端側からパイプ状をなす脚体の下端開口よりこの脚体内に筒下端に形成されたフランジをこの下端開口に突き当てる位置まで入れ込み可能に構成されると共に、筒下端から内筒体を入れ込み可能に構成された外筒体とを有しており、
（４）この外筒体は、その筒上端において外方に解放されてその筒下端側に向けて延びる二条以上の割溝を有しており、
（５）この外筒体における隣り合う割溝間にある分割箇所が、内筒体の外筒体への入れ込み後の内筒体の捻回操作によって弾性的に外方に撓み出すように構成されている。
【０００５】
かかる構成によれば、先ず、内筒体を捻回操作させない状態において、内筒体を内部に入れ込ませた外筒体を脚体の下端開口からこの脚体内に入れ込ませることにより、抵抗なく脚体の下端にアジャスター装置を組み合わせることができる。次いで、この状態から、内筒体を捻回操作することにより、外筒体の分割箇所を外向きに撓み出させ、これを脚体の内面に押し付けさせることができ、これにより脚体の下端にアジャスター装置をワンタッチで組み付けさせることができる。この組み付け状態において内筒体に螺進退可能に組み合わされたアジャスター本体を螺進又は螺退操作することにより、脚体を備えた各種物品のレベルを調整することができる。脚体からのアジャスター装置の取り外しが必要になった場合には、内筒体を前記組み付けの際の捻回方向と逆向きに捻回して外筒体の分割箇所を弾性復帰させ、この分割箇所による脚体の内面への押しつけを解くことにより、ワンタッチでなすことができる。
【０００６】
前記内筒体が太径箇所と細径箇所とを有していると共に、
外筒体の内郭形状が内筒体の外郭形状に倣った形状を持つように、内筒体の太径箇所を受け入れる広径箇所と内筒体の細径箇所に入り込む狭径箇所とを有しており、
捻回操作によって外筒体の広径箇所に納まっていた内筒体の太径箇所がこの外筒体の狭径箇所に外筒体の分割箇所を弾性変形させながら入り込むように構成しておくこともある。
【０００７】
かかる構成によれば、内筒体の捻回操作によってスムースに外筒体の分割箇所を弾性的に外方に撓み出させることができる。
【０００８】
また、前記内筒体の外側部に、外筒体への内筒体の入れ込みに伴って外筒体の割溝内に入り込む突起が形成してあると共に、
外筒体の分割箇所に、内筒体の捻回操作によって凹部入り口を弾性的に広げながら前記突起を受け入れこの突起を受け入れ切った位置でこの突起に掛合される掛合部を凹部入り口に備えた前記割溝に連通した凹部が形成してあるようにしておくこともある。
【０００９】
かかる構成によれば、外筒体の分割箇所を外方に撓み出させた脚体へのアジャスター本体の組み付け状態を安定的に維持させることができる。
【００１０】
また、かかる内筒体に突起を二カ所以上形成しておくと共に、これらの突起に対応する凹部を外筒体に形成しておくこともある。
【００１１】
かかる構成によれば、外筒体の分割箇所を外方に撓み出させた脚体へのアジャスター本体の組み付け状態をより安定的に維持させることができる。
【発明の効果】
【００１２】
この発明にかかるアジャスター装置は、パイプ状をなす脚体の下端に工具などを用いることなく容易かつ適切に取り付けることができ、また、その取り外しが必要になった場合にもそれを容易になすことができる。
【発明を実施するための最良の形態】
【００１３】
以下、図１ないし図１４に基づいて、この発明を実施するための最良の形態について説明する。
【００１４】
なお、ここで図１は、アジャスター装置とこれが取り付けられる脚体Ｌとを分離させた状態で示しており、また、図２は、かかるアジャスター装置を脚体Ｌに取り付けた状態を示している。また、図３は、アジャスター装置を構成する内筒体２と外筒体３を組み合わせた状態であって外筒体３の分割箇所を外方に撓み出させるように内筒体２を捻回操作する前の状態を上方から見て、また、図４は、図３の状態から内筒体２を捻回操作した後の状態をそれぞれ示している。（なお、この両図においては、アジャスター本体１の記載を省略している。）また、図５ないし図１０は、外筒体３を、また、図１１ないし図１４は、内筒体２を、それぞれ示している。
【００１５】
この実施の形態にかかるアジャスター装置は、事務機器や家具などの各種物品を構成するパイプ状をなす脚体Ｌの下端開口Ｌａよりこの脚体Ｌ内に一部を入れ込まれて取り付けられ、この取り付け状態においてアジャスター本体１を螺進又は螺退操作することにより、脚体Ｌによって支持される各種物品の上面や天面などのレベルを調整するために用いられるものである。
【００１６】
かかるアジャスター装置は、
（１）アジャスター本体１と、
（２）内筒体２と、
（３）外筒体３と、から構成されている。
【００１７】
アジャスター本体１は、雄ねじ部１０を備えると共に下端に接地部１１を備えた軸状をなすように構成されている。図示の例にあっては、かかるアジャスター本体１は、外周部に雄ねじ部１０を備えた軸体１２の一端を円盤状をなす接地部１１の一面側のほぼ中央部に一体に接合させるようにして構成されている。この接地部１１の他面側が接地箇所１３となる。
【００１８】
内筒体２は、筒内部にアジャスター本体１の雄ねじ部１０に螺合する雌ねじ部２０を有し、このアジャスター本体１の軸体１２を筒下端２１より螺進退可能に受け入れるようになっている。図示の例では、この内筒体２は、筒上下端２１、２２を解放させた略円筒状をなすように構成されていると共に、その筒下端２１に、ほぼ正方形状の外郭形状を備えた外向きに張り出すフランジ２３を有している。そして、その筒下端２１から筒軸方向ほぼ中程の位置までの間の筒内周部に前記雌ねじ部２０を有している。また、この内筒体２の外周部には、この内筒体２の筒上端２２において溝上端を外方に解放させて前記フランジ２３の上面位置まで続く四カ所の溝状凹部２４、２４…が形成されている。各溝状凹部２４、２４…は隣り合う溝状凹部２４との間に、内筒体２の周方向において、ほぼ等しい間隔を開けるようにして形成されている。これにより、かかる内筒体２は、太径箇所２５と細径箇所２６とを有するようになっている。すなわち、かかる内筒体２は、溝状凹部２４の底部において外径を小さくし、また、隣り合う溝状凹部２４の間において外径を大きくするように構成されている。また、図示の例にあっては、各溝状凹部２４は、内筒体２の筒軸方向に沿った両溝壁を、溝口に向かうに連れて次第に溝状凹部２４の溝幅を広げる向きに傾斜した傾斜面２４ａとしている。
【００１９】
外筒体３は、筒上端３０側からパイプ状をなす脚体Ｌの下端開口Ｌａよりこの脚体Ｌ内に筒下端３１に形成されたフランジ３２をこの下端開口Ｌａに突き当てる位置まで入れ込み可能に構成されている。それと共に、筒下端３１から前記内筒体２を入れ込み可能に構成されている。図示の例では、かかる外筒体３は、断面内郭形状をほぼ正方形状としたパイプ状をなす脚体Ｌのこの内郭形状に倣った外郭形状を持つように構成されており、この脚体Ｌの下端開口Ｌａから脚体Ｌの前記内郭の一辺に外筒体３の前記外郭の一辺を向けるようにしてこの脚体Ｌ内に入れ込まれるように構成されている。この外筒体３も、筒上下端３０、３１を解放させている。また、この外筒体３の断面内郭形状は、前記内筒体２の断面外郭形状に倣った形状を持つように構成されている。すなわち、かかる外筒体３は、内筒体２の前記太径箇所２５を受け入れる広径箇所３３と内筒体２の前記細径箇所２６に入り込む狭径箇所３４とを有している。また、外筒体３の前記フランジは、その筒下端３１に設けられており、ほぼ正方形状の外郭形状を備えて外向きに張り出したものとなっている。
【００２０】
また、この外筒体３は、その筒上端３０において外方に解放されてその筒下端３１側に向けて延びる二条以上の割溝３５、３５…を有している。図示の例にあっては、略正方形状を有する外筒体３のこの外筒体３の外郭の各辺のほぼ中程にそれぞれ、外筒体３の筒上端において外方に解放されて前記フランジ３２の上面位置まで続く割溝３５が形成されている。図示の例では、かかる割溝３５は、外筒体３の前記各辺のうち対向位置にある二つの各辺側に形成されている割溝３５は、両溝壁を外筒体３の筒上端に向かうに連れて次第に割溝３５の溝幅を広げる向きに傾斜させている。また、残りの二つの各辺側に形成されている割溝３５は、一方の溝壁を外筒体３の筒軸に沿った鉛直面３５ａとし、他方の溝壁を外筒体３の筒上端に向かうに連れて次第にこの割溝３５の溝幅を広げる向きに傾斜させている。
【００２１】
そして、この実施の形態にあっては、かかる外筒体３における隣り合う割溝３５間にある分割箇所が、内筒体２の外筒体３への入れ込み後の内筒体２の捻回操作によって弾性的に外方に撓み出すように構成されている。
【００２２】
図示の例にあっては、外筒体３に対し、内筒体２は、内筒体２の太径箇所２５を外筒体３の広径箇所３３に入れ込み、かつ、外筒体３の狭径箇所３４を内筒体２の細径箇所２６に入れ込ませるようにして、外筒体３の筒下端からこの外筒体３内に内筒体２のフランジ２３上面を外筒体３のフランジ３２下面に突き当てさせる位置まで入れ込まれて外筒体３と組み合わされるようになっている。この組み合わせ状態において、外筒体３のフランジ３２と内筒体２のフランジ２３とは、外筒体３のフランジ３２の一辺に内筒体２のフランジ２３の一辺が沿わないように、ほぼ４５度位置を異ならせて位置づけられている。（図３）そして、図示の例にあっては、この状態から捻回操作によって外筒体３の広径箇所３３に納まっていた内筒体２の太径箇所２５がこの外筒体３の狭径箇所３４に外筒体３の分割箇所３６を弾性変形させながら入り込むようになっている。（図示の例にあっては４５度の捻回操作）これにより図示の例にあっては、内筒体２の捻回操作によってスムースに外筒体３の分割箇所３６を弾性的に外方に撓み出させることができるようになっている。図示の例にあっては、このように外筒体３の分割箇所３６が撓み出し位置において、外筒体３のフランジの３２一辺に内筒体２のフランジ２３の一辺が沿って平面視の状態において重なり合うようになっており、（図４）内筒体２の捻回操作の完了を認識できるようになっている。また、図示の例では、外筒体３の狭径箇所３４は、分割箇所３６の内面に形成された隆起部３３ａによって形成されているが、この隆起部３３ａは外筒体３の筒上端に向かうに連れて次第に高まるように形成されており、これにより分割箇所３６は前記捻回操作によってよりスムースに外向きに撓み出し易いようになっている。
【００２３】
この結果、この実施の形態にかかるアジャスター装置によれば、先ず、内筒体２を捻回操作させない状態において、内筒体２を内部に入れ込ませた外筒体３を脚体Ｌの下端開口Ｌａからこの脚体Ｌ内に入れ込ませることにより、抵抗なく脚体Ｌの下端にアジャスター装置を組み合わせることができる。次いで、この状態から、内筒体２を捻回操作することにより、外筒体３の分割箇所３６を外向きに撓み出させ、これを脚体Ｌの内面に押し付けさせることができ、これにより脚体Ｌの下端にアジャスター装置をワンタッチで組み付けさせることができる。この組み付け状態において内筒体２に螺進退可能に組み合わされたアジャスター本体１を螺進又は螺退操作することにより、脚体Ｌを備えた各種物品のレベルを調整することができる。脚体Ｌからのアジャスター装置の取り外しが必要になった場合には、内筒体２を前記組み付けの際の捻回方向と逆向きに捻回して外筒体３の分割箇所３６を弾性復帰させ、この分割箇所３６による脚体Ｌの内面への押しつけを解くことにより、ワンタッチでなすことができる。
【００２４】
また、この実施の形態にあっては、内筒体２の外側部に、外筒体３への内筒体２の入れ込みに伴って外筒体３の割溝３５内に入り込む突起２７が形成してあると共に、
外筒体３の分割箇所３６に、内筒体２の捻回操作によって凹部入り口３７ａを弾性的に広げながら前記突起２７を受け入れこの突起２７を受け入れ切った位置でこの突起２７に掛合される掛合部３７ｂを凹部入り口３７ａに備えた前記割溝３５に連通した凹部３７が形成してある。
【００２５】
これにより、この実施の形態にあっては、外筒体３の分割箇所３６を外方に撓み出させた脚体Ｌへのアジャスター本体１の組み付け状態を安定的に維持させることができる。すなわち、前記凹部３７の凹部入り口３７ａをその内方から再び広げ出させる大きさの力で内筒体２を前記捻回操作の向きと逆向きに捻回させない限り、外筒体３の分割箇所３６の撓み出し状態は解かれることがなく、内筒体２内でのアジャスター本体１の螺進退によってアジャスター装置と脚体Ｌとの組み付け状態が損なわれることがないようになっている。
【００２６】
また、この実施の形態にあっては、かかる内筒体２に突起２７が二カ所以上形成してあると共に、これらの突起２７に対応する凹部３７が外筒体３に形成してある。図示の例では、内筒体２の外周部の対向位置にそれぞれ前記突起２７が形成してあると共に、外筒体３の対向位置にある二つの分割箇所３６にそれぞれ凹部３７が形成してある。
【００２７】
これにより、この実施の形態にあっては、外筒体３の分割箇所３６を外方に撓み出させた脚体Ｌへのアジャスター本体１の組み付け状態をより安定的に維持させることができるようになっている。
【００２８】
図示の例では、内筒体２の突起２７は、内筒体２の筒上端２２側に形成されている。この突起２７は、内筒体２の外周面から突き出す円柱状の小突起として構成されている。また、外筒体３の凹部３７も外筒体３の筒上端３０側に形成されている。図示の例では、かかる凹部３７は、前記割溝３５の前記鉛直面３５ａとされた溝壁の一部を割り欠いて外筒体３の周方向に延びる割溝状をなすように構成されている。この凹部３７の幅は前記突起２７の径とほぼ等しいが、凹部入り口３７ａを形成する両溝壁のうち外筒体３の筒下端側に位置される溝壁には突出部３７ｃが形成されており、これにより凹部入り口３７ａの幅は前記突起２７の径寸法よりもやや狭くなっている。割溝３５は外筒体３の広径箇所３３に位置され、内筒体２の突起２７はこの内筒体２の太径箇所２５に位置される。そして、内筒体２の突起２７がこの凹部３７の臨む割溝３５に外筒体３の筒下端３１から入り込む向きで外筒体３内に内筒体２を入れ込ませると、この凹部３７の凹部入り口３７ａの手前に突起２７が位置づけられるようになっている。この状態から内筒体２を捻回操作すると突起２７が前記突出部３７ｃに押し当たり、凹部入り口３７ａが弾性的に押し広げられ、凹部３７内への突起２７の進入が許容される。突起２７が突出部３７ｃを乗り越え凹部３７の内奥側に入り込むと凹部３７側が弾性復帰し突出部３７ｃによって突起２７の抜け出しが阻止される。すなわち、図示の例では、かかる突出部３７ｃが前記掛合部３７ｂとして機能するものとなっている。
【００２９】
なお、図示の例では、外筒体３の凹部３７の臨む割溝３５の下端に連通する導入溝３８が外筒体３の筒下端の内面に形成されており、この導入溝３８を通じて内筒体２の突起２７をこの割溝３５に外筒体３内に内筒体２を入れ込ませるにあたって導き入れ易いようにしてある。
【００３０】
この実施の形態にかかる外筒体３における弾性変形可能に構成される箇所へのこの弾性変形特性の付与は、典型的には、かかる外筒体３をプラスチック材料を用いた射出成形によって成形させることで容易に確保することができる。
【図面の簡単な説明】
【００３１】
【図１】アジャスター装置と脚体Ｌの下端の斜視図
【図２】アジャスター装置の使用状態を示した側面図
【図３】外筒体３と内筒体２との組み合わせ状態を示した平面図（内筒体２捻回操作前）
【図４】外筒体３と内筒体２との組み合わせ状態を示した平面図（内筒体２捻回操作後）
【図５】外筒体３の平面図
【図６】同底面図
【図７】同正面図
【図８】同右側面図
【図９】図５におけるＡ−Ａ線断面図
【図１０】図７におけるＢ−Ｂ線断面図
【図１１】内筒体２の平面図
【図１２】同底面図
【図１３】同正面図
【図１４】図１１におけるＣ−Ｃ線断面図
【図１５】従来例を示した斜視図
【符号の説明】
【００３２】
１  アジャスター本体
１０  雄ねじ部
１１  接地部
２  内筒体
２０  雌ねじ部
３  外筒体
３１  筒下端
３２  フランジ
３５  割溝
３６  分割箇所
Ｌ  脚体
Ｌａ  下端開口
【図１】
2005218488.tif 000003
【図２】
2005218488.tif 000004
【図３】
2005218488.tif 000005
【図４】
2005218488.tif 000006
【図５】
2005218488.tif 000007
【図６】
2005218488.tif 000008
【図７】
2005218488.tif 000009
【図８】
2005218488.tif 000010
【図９】
2005218488.tif 000011
【図１０】
2005218488.tif 000012
【図１１】
2005218488.tif 000013
【図１２】
2005218488.tif 000014
【図１３】
2005218488.tif 000015
【図１４】
2005218488.tif 000016
【図１５】
2005218488.tif 000017